(57)【要約】  簡単な操作で使用者にとってそのとき最適な焦点距離を確保することができる双眼ルーペを提供する。  双眼ルーペ（１０）の左右一対のルーペ本体（２）の接眼部に配置される焦点調整部（１２）は、焦点調整レンズ（１１）とマグネットリング（１６）とを備えている。マグネットリング（１６）は、ルーペ本体（２）内の光学系を構成する矯正レンズ（４５）に接して装着されて、保持リング（１２）によって固定される。焦点調整レンズ（１１）は、周縁にマグネットに吸引される磁性体を有しており、マグネットリング（１６）の円環に嵌め込まれて保持される。これにより、焦点調整レンズ（１１）は、ルーペ本体（２）から着脱自在に装着することができる。
2017002968.tif 000002
【特許請求の範囲】
【請求項１】
手元の対象物を拡大して見るための光学系を有する双眼ルーペであって、
一対のルーペ本体と、
前記ルーペ本体の接眼部に配置される焦点調整部と、
を備え、
前記焦点調整部は、周縁にマグネットに吸引される磁性体を有する焦点調整レンズと、前記焦点調整レンズが嵌め込まれるマグネットリングと、で構成されて、
前記焦点調整レンズは、前記マグネットリングと前記磁性体との吸引により、前記ルーペ本体に着脱自在に保持されることを特徴とする双眼ルーペ。
【請求項２】
前記マグネットリングは、前記ルーペ本体の接眼部の内側の周縁と接するよう前記ルーペ本体に嵌め込まれて、前記マグネットリングと略同じ径を有する保持リングと前記接眼部とで挟持されて、前記ルーペ本体内に保持されることを特徴とする請求項１に記載の双眼ルーペ。
【請求項３】
前記焦点調整レンズの外径と略等しい内径を有して前記接眼部の内側の周縁と接するよう配置される保持リングを備えて、
前記マグネットリングは、前記焦点調整レンズの外径と略等しい内径を有するレンズ受部と、前記焦点調整レンズの外径より小さい内径を有する押え部とを具備して、
前記レンズ受部は、前記接眼部の周縁と接するよう前記ルーペ本体に嵌め込まれる前記保持リングと共働して前記焦点調整レンズを保持することを特徴とする請求項１に記載の双眼ルーペ。
【請求項４】
前記磁性体は、前記焦点調整レンズが嵌め込まれる金属製のリングであることを特徴とする請求項１乃至３の何れかに記載の双眼ルーペ。
【請求項５】
前記磁性体は、粒径の小さい磁性材料の微粒子を表面に塗布又は吹き付けて形成されていることを特徴とする請求項１乃至３の何れかに記載の双眼ルーペ。
【請求項６】
前記磁性体は、スパッタリングや蒸着によって形成される磁性材料の薄膜であることを特徴とする請求項１乃至３の何れかに記載の双眼ルーペ。
【発明の詳細な説明】
【技術分野】
【０００１】
本発明は、医療手術や精密工作作業の際に使用される双眼ルーペに関する。
【背景技術】
【０００２】
双眼ルーペは、手元の局所的な視覚対象物を拡大して視認する手段として、従来から、医療分野、精密工作、宝石加工等の各分野において広く使用されている。これらの分野では、作業や操作に高い精度が要求されており、双眼ルーペは、優れた解像力、広い視野径、所定の焦点距離等に加えて、明るくクリアーな画質を備えている。また、ルーペの倍率調整も、用途に合わせて調整可能なタイプも用意されている。【０００３】
そして、特に、医療分野において用いられる双眼ルーペには、人命に関わることから、双眼ルーペの視力矯正及び乱視矯正は、施術者の視力に正確に適合させたものであることが求められている。【０００４】
しかしながら、従来の双眼ルーペにおいては、医療施術者の手作業に高い精度が要求されるにも関わらず、施術者の遠距離或いは近距離の視力を矯正するレンズの焦点距離を、作業中に変化する作業者の視力に合せることができないため、視力の変化に起因して視覚精度にムラが生じるという問題点があった。すなわち、人間の視力は、体調や疲労の程度によって常に変化し、また、同日であっても午前と午後とで変化するにも拘わらず、従来の双眼ルーペは、施術者の変動する視力に適合させることができず、不適正な視力の状態で双眼ルーペを使用して施術せざるを得なかった。【０００５】
また、施術の種類、例えば、狭い視野範囲の施術又は広い視野範囲の施術に応じて、施術／操作箇所と双眼ルーペの距離を変化させる必要が生じるために、一人の施術者が予め焦点距離の異なる複数種類の双眼ルーペを準備しておく必要があった。【０００６】
このような問題を解決するため、従来、焦点距離が異なる複数種類の焦点調整部を予め準備しておき、その中の一つを選択して、その接眼部に着脱自在に装着可能にした双眼ルーペが知られている（例えば、特許文献１を参照）。
【先行技術文献】
【特許文献】
【０００７】
【特許文献１】特許第５０３２３３２号公報
【発明の概要】
【発明が解決しようとする課題】
【０００８】
特許文献１のように予め複数の焦点調整部を設けておき、その中から度数の合う調整レンズを備えた一つを選択して使用すれば、複数の双眼ルーペを用意しておく場合と比べてコスト的に有利となる。【０００９】
しかしながら、このような従来技術の場合であっても、度数の異なる調整レンズ毎に焦点調整部を用意しなければならず、コスト低減の面での効果は限定的なものとなっている。しかも、焦点調整部は独立したユニットで構成されているため、これを双眼ルーペに装着するには、両方のユニットを接続するには連結部材を用いなければならず、装着には手間を要する。【００１０】
本発明は、上記課題に鑑みてなされたものであって、焦点調整レンズを着脱するだけの簡単な操作により、着用者にとっての最適な焦点距離を確保することができる双眼ルーペを提供することを目的とするものである。
【課題を解決するための手段】
【００１１】
上記課題を解決するために、本発明は、手元の対象物を拡大して見るための光学系を有する双眼ルーペであって、一対のルーペ本体と、前記ルーペ本体の接眼部に配置される焦点調整部と、を備え、前記焦点調整部は、周縁にマグネットに吸引される磁性体を有する焦点調整レンズと、前記焦点調整レンズが嵌め込まれるマグネットリングと、で構成されて、前記焦点調整レンズは、前記マグネットリングと前記磁性体との吸引により、前記ルーペ本体に着脱自在に保持されることを特徴とする。【００１２】
一つの実施形態においては、前記マグネットリングは、前記ルーペ本体の接眼部の内側の周縁と接するよう前記ルーペ本体に嵌め込まれて、前記マグネットリングと略同じ径を有する保持リングと前記接眼部とで挟持されて、前記ルーペ本体内に保持される。【００１３】
他の実施形態では、前記焦点調整レンズの外径と略等しい内径を有して前記接眼部の内側の周縁と接するよう配置される保持リングを備えて、前記マグネットリングは、前記焦点調整レンズの外径と略等しい内径を有するレンズ受部と、前記焦点調整レンズの外径より小さい内径を有する押え部とを具備して、前記レンズ受部は、前記接眼部の周縁と接するよう前記ルーペ本体に嵌め込まれる前記保持リングと共働して前記焦点調整レンズを保持することを特徴とする。【００１４】
前記磁性体は、前記焦点調整レンズが嵌め込まれる金属製のリングで構成することができる。【００１５】
または、前記磁性体は、粒径の小さい磁性材料の微粒子を表面に塗布又は吹き付けて形成される薄膜、或いはスパッタリングや蒸着によって形成される磁性材料の薄膜によって構成することもできる。
【発明の効果】
【００１６】
本発明の双眼ルーペによれば、焦点調整レンズをルーペ本体に挿し込む簡単な操作により、その時の着用者に合った焦点距離を容易に確保することができる。よって、焦点距離に応じて複数の焦点調整部を備える必要がなく、安価な双眼ルーペが提供される。
【図面の簡単な説明】
【００１７】
【図１】本発明の実施形態に係る双眼ルーペの全体の構成図を示す。
【図２】本発明の実施形態に係る双眼ルーペの光学系の構成を模式図で示す。
【図３】双眼ルーペを着用した作業を行う状態の説明図を示す。
【図４】ルーペをキャリアレンズに取り付ける際の下方装着角度ｒについての説明図を示す。
【図５】ルーペをキャリアレンズに取り付ける際の内側装着角度ｐ，ｑについての説明図を示す。
【図６】キャリアレンズに装着したルーペを接眼側から見た説明図を示す。
【図７】ルーペ本体の接眼側の一部と一つの実施形態の焦点調整部とを断面側面図で示し、（ａ）は焦点調整部を分解した状態で示し、（ｂ）は焦点調整部をルーペ本体の接眼側に組込んだ状態を示す。
【図８】ルーペ本体の接眼側の一部と別の実施形態の焦点調整部とを断面側面図で示し、（ａ）は焦点調整部を分解した状態で示し、（ｂ）は焦点調整部をルーペ本体の接眼側に組込んだ状態を示す。
【図９】本発明を適用する別のタイプの双眼ルーペの全体構成図を示す。
【発明を実施するための形態】
【００１８】
双眼ルーペは、左右両眼のルーペ本体を眼鏡フレームやヘッドバンドにそれぞれ取り付けて構成される。そして、眼鏡フレームにルーペ本体を取り付ける双眼ルーペにも、眼鏡フレームに直接支持するタイプと、眼鏡レンズ（キャリアレンズ）に刳り抜いた孔に嵌め込み取り付けるタイプとの２通りがある。
【００１９】
本発明は、上記の何れの双眼ルーペにも適用可能であるが、以下、キャリアレンズにルーペを取り付けて構成される双眼ルーペについて、図面を参照しながら詳細に説明する。
【００２０】
図１に示されている双眼ルーペ１０は、眼鏡フレーム１と、作業対象の像を拡大するための左右両眼に対応するルーペ本体２と、ルーペ本体２を取り付けるための左右のキャリアレンズ５と、を備える。
【００２１】
眼鏡フレーム１は通常の眼鏡と略同じ構造を有するもので、キャリアレンズ５が嵌め込まれるリム１Ａと、観察者の耳に掛けられる蔓部６とから構成される。眼鏡フレーム１及び蔓部６を構成する素材には、錆び難く可撓性を有するチタン等の金属や合成樹脂等が使用される。
【００２２】
また、両眼のリム１Ａにそれぞれ嵌め込まれるキャリアレンズ５を構成する素材は、必ずしも透明である必要はないが、観察者の手元方向の視野を広げるためには透明であることが好ましく、さらに視力の矯正を必要とする場合には矯正レンズを使用するが、視力の矯正が不要の場合は単なる透明ガラスであっても良い。この場合のレンズの材質は、ガラス又はプラスチックである。
【００２３】
ルーペ本体２は、図２に示すように、鏡筒の中に対物レンズ群４１と、接眼レンズ群４２とが筒の中心軸（光軸）に沿って配置されている。対物レンズ群４１には、拡大倍率を上げても像質を低下することがないよう、入射する光を屈折させるためのプリズム４０ａ，４０ｂが配置されている。そして、ルーペ本体２の接眼側の端部には、双眼ルーペ１０の使用者の視力を矯正するための矯正レンズ（度付レンズ）４５が配置されるが、視力を矯正する必要がなければ矯正レンズ４５に代えて単なるガラスレンズを配置することで、ルーペ本体２内のこれら光学系を保護している。
【００２４】
詳細には図示しないが、ルーペ本体２の外周に設けたリング３（図１）を回動して、対物レンズ群４１のレンズ４３と接眼レンズ群４２のレンズ４４をそれぞれ光軸方向に移動させることで、ルーペ本体２の画角を例えば３．３乃至４．８倍の範囲内で調整可能なよう構成されている。尚、ルーペ本体２には、レンズどうしの間隔が全て固定されて、画角が一定倍率のものも使用することができる。
【００２５】
このような双眼ルーペ１０は、蔓部６が使用者の耳に掛けられて顔に着用される。図３に示すように、外科医師が手術を行うときに使用する場合には、左右のルーペ本体２を通して、手にしている手術器具の先端の執刀箇所Ｐにある対象物を拡大して観察するが、このとき医師は、左右のルーペ本体２を覗き込むように視線を落として執刀箇所Ｐを凝視している。
【００２６】
したがって、図４で示すように、左右のルーペ本体２はキャリアレンズ５の平面に垂直な直立線Ｖに対し傾斜させて取り付けられることになる。この傾斜の角度は、直立線Ｖに対して下向きの角度ｒ（下方装着角度）で傾斜するように取り付けられている。また、左右のルーペ本体２は、水平方向では図５で示すように、眼鏡フレーム１の中心Ｏと執刀箇所Ｐとを結ぶ中心線Ｌに向けて、それぞれ角度ｐ及び角度ｑ（内側装着角度）で傾斜するように取り付けられている。
【００２７】
このように、ルーペ本体２は、キャリアレンズ５に刳り抜かれた孔に嵌め込まれて装着されるとき、下方装着角度ｒ及び内側装着角度ｐ，ｑの傾斜を保った状態でキャリアレンズ５に固定される。こうして、双眼ルーペ１０は個々の使用者に応じて下方装着角度ｒ及び内側装着角度ｐ，ｑが処方されて製作されて、使用者はルーペ本体２の倍率を調整することで観察対象部を拡大することで見やすくしている。
【００２８】
下方装着角度ｒや内側装着角度ｐ，ｑは、双眼ルーペ１０の使用者が作業で執る姿勢や瞳孔間距離（ＰＤ）等の顔の造作によって異なっており、事前に測定される。この場合の測定方法としては、使用者に実際に作業姿勢を再現してもらい、それをメジャーで実測する等の種々の方法があるが、特許第５６５２９７３号や特許第５３１１６０１号には作業者の作業姿勢を撮像した画像に基づいた測定する方法が開示されている。
【００２９】
双眼ルーペ１０には矯正レンズ４５を配置することで、使用者の遠距離或いは近距離の視力を矯正しているが、視力は体調或いは環境に応じて変動するため矯正レンズ４５が合わなくなることがある。よって、使用者は、矯正レンズ４５が一時的に合わなくなったとき、図６に示すように、焦点調整レンズ１１をルーペ本体２の接眼側に装着することで、変動した視力に焦点距離を合せる。一方、普段は視力の矯正を必要とせずレンズ４５をガラスレンズで構成している使用者であっても、視力が変動したときには、焦点調整レンズ１１を用いて焦点距離を合せることになる。
【００３０】
焦点調整レンズ１１は、焦点調整部１２によってルーペ本体２の接眼部に装着される。図７は、ルーペ本体２と焦点調整部１２の構成を示しており、焦点調整部１２は、焦点調整レンズ１１と、保持リング１４と、焦点調整レンズ１１が嵌め込まれるマグネットリング１６とを備える。
【００３１】
焦点調整レンズ１１は、周縁に磁性体１１ａが形成されている。磁性体１１ａは、マグネットリング１６の周縁の表面に粒径の小さい磁性材料の微粒子を表面に塗布又は吹き付け磁気化して形成される。或いは、スパッタリングや蒸着などによって表面に磁性材料の薄膜を形成してもよい。この磁性材料には、不純物を含まない酸化鉄・酸化クロム・コバルト・フェライト・ネオジウムなどが使用される。
【００３２】
磁性体１１ａは、ステンレス等の磁性体のリングによって構成したものであってもよい。この場合、焦点調整レンズ１１は、リングの磁性体１１ａの円環内に嵌め込み固定される。尚、磁性体１１ａの外側表面を保護するために、エポキシコート等による表面処理を施しておくのが好ましい。
【００３３】
マグネットリング１６は、周縁に磁性体１１ａを具備した焦点調整レンズ１１の外径と略等しい内径を有するリングであり、その外径はルーペ本体２の鏡筒の内径に略等しい。よって、マグネットリング１６は、ルーペ本体２の鏡筒内に挿入される。
【００３４】
保持リング１４は金属で構成されて、マグネットリング１６によって吸引される。そして、マグネットリング１６と同様に、焦点調整レンズ１１の外径と略等しい内径を有するリングで構成されている。また、保持リング１４の周縁には、ルーペ本体２の鏡筒の開口側の内周壁に切られためねじ３０と係合するおねじ３１が形成されている。
【００３５】
よって、焦点調整部１２をルーペ本体２の接眼部に配置する際には、図７（ａ）に示すように、先ずマグネットリング１６をルーペ本体２の接眼側の開口から矯正レンズ４５に接するまで挿入し、続いて、保持リング１４を開口からねじを回しながら挿入する。これにより、マグネットリング１６は矯正レンズ４５と接した状態で固定される。
【００３６】
次に、焦点調整レンズ１１をルーペ本体２の鏡筒内に挿入するが、この場合、マグネットリング１６及び保持リング１４の各内径は焦点調整レンズ１１の外径と一致しており、使用者は、図７（ｂ）に示すように矯正レンズ４５に接するまで、焦点調整レンズ１１をこれらリング１４、１６の円環内を移動させることができる。そして、焦点調整レンズ１１は、マグネットリング１６と磁性体１１ａとの吸引により、ルーペ本体２内に保持される。よって、使用者は、焦点調整レンズ１１を覗き込むことでルーペ本体２の光学系を透した観察対象物の像を観察できる。
【００３７】
保持リング１４は、マグネットリング１６に吸引される金属で構成されているために、焦点調整部１２とルーペ本体２との接続が確実となる。
【００３８】
上記のごとく、焦点調整部１２は、マグネットリング１６と保持リング１４とはルーペ本体２内に固定で取り付けられて、焦点調整レンズ１１だけマグネットリング１６と保持リング１４の円環内を移動して、ルーペ本体２から着脱自在となっている。したがって、視力の変化を補うための度数の異なる焦点調整レンズ１１を双眼ルーペ１０の付属アクセサリーとして複数用意しておき、使用者は、ルーペ本体２の焦点距離が合わなくなったとき、そのときの視力に応じた近視や遠視に最適な焦点調整レンズ１１を選択して、ルーペ本体２内に挿し込むことで、使用者は視力の矯正を簡単に行うことができる。
【００３９】
焦点調整部の他の実施形態を説明する。図８の焦点調整部１２Ａは、焦点調整部１２と同じ焦点調整レンズ１１と保持リング１４とを備える。したがって、焦点調整レンズ１１は、周縁にマグネットに吸引される磁性体１１ａを有し、保持リング１４の周縁にはルーペ本体２の鏡筒の開口側の内周壁に切られためねじ３０と係合するおねじ３１が形成されている。
【００４０】
しかし、焦点調整部１２Ａの場合、マグネットリング１６Ａは、焦点調整部１２のマグネットリング１６とは形状が異なり、焦点調整レンズ１１の外径と略等しい内径を有するレンズ受部２２と、焦点調整レンズ１１の外径より小さい内径を有する押え部２３とを有する二段構成となっている。
【００４１】
そして、焦点調整部１２Ａは、ルーペ本体２の接眼部に配置する際には、図８（ａ）に示すように、先ず、保持リング１４をルーペ本体２の接眼側の開口からねじを回しながら挿入し、続いて、焦点調整レンズ１１を保持リング１４の円環内に嵌め込み移動させながら矯正レンズ４５と接触させる。これにより、焦点調整レンズ１１はねじ止めで固定されている保持リング１４に保持される。
【００４２】
次に、マグネットリング１６Ａを焦点調整レンズ１１がレンズ受部２２内に収まるように、ルーペ本体２の接眼部に接触させる。よって、焦点調整レンズ１１は、磁性体１１ａがマグネットリング１６Ａ及び保持リング１４に吸引されて、マグネットリング１６Ａの押え部２３によって保持リング１４に向けて押し付けらてルーペ本体２内に保持される。使用者は、マグネットリング１６Ａの開口から焦点調整レンズ１１を覗き込み、ルーペ本体２の光学系を通して観察対象物の像を観察する。
【００４３】
したがって、焦点調整部１２Ａでは、予め視力の変化を補うために用意された度数の異なる焦点調整レンズ１１の中から最適な焦点調整レンズ１１を選択してルーペ本体２内に挿し込み、挿し込んだ焦点調整レンズ１１をレンズ受部２２内に収まるようマグネットリング１６Ａ装着することで、使用者は視力の矯正を行うことができる。
【００４４】
そして、焦点調整部１２Ａも焦点調整部１２の場合と同様に、保持リング１４は、マグネットリング１６に吸引される金属で構成されているために、焦点調整部１２Ａとルーペ本体２との接続が確実となる。
【００４５】
以上、詳述したように、本発明に係わる焦点調整部１２，１２Ａは、遠距離或いは近距離の視力を矯正するため焦点距離が異なる種々の焦点矯正レンズ１１を準備しておけば、双眼ルーペ１０の装着者は、そのときの視力の状態や周囲の明るさの状態に応じて、又は作業を座位又は立ち位で行うかに応じて、適切な焦点深度に変更したいとき、そのときの視力に合った焦点調整レンズ１１を選択して、ルーペ本体２の接眼部に装着する。よって、焦点調整レンズ１１を装着するだけで、最適な焦点距離に調整することができる双眼ルーペ１０が提供される。
【００４６】
本発明は、前述したごとくキャリアレンズを有さない双眼ルーペにも適用でき、図９は、このタイプの双眼ルーペの一例を示している。この双眼ルーペ１０Ａでは、眼鏡フレーム２１に左右一対のルーペ本体２５を有するルーペ本体２０を回動自在な軸２３によって吊り下げる構造となっている。そして、ルーペ本体２０はビス２４を調整することにより、ルーペ本体２５の上下方向の位置や観察者の瞳孔間距離に応じたスリット２６内の左右への移動を可能にしている。さらに、ルーペ本体２５はビス２４の垂直方向の軸に回動自在に支持されて、内側装着角度も調整可能である。そして、ルーペ本体２５の下方装着角度は、軸２３を支点に回動させることで調整可能となっている。
【００４７】
そして、ルーペ本体２５は、焦点調整レンズ１１を含む何れの焦点調整部１２，１２Ａが接眼部に配置可能となっている。尚、このタイプの双眼ルーペでは、図２で示すような矯正レンズ４５を設けずに、眼鏡フレームに矯正レンズ２７を取り付けるタイプがあり、この場合には、観察者は矯正レンズ２７越しに焦点調整レンズ１１を通してルーペ本体２５を覗くことになる。
【００４８】
このようにルーペをキャリアレンズに装着しないタイプの双眼ルーペ１０Ａでは、瞳孔間距離及び内側装着角度や下方装着角度は固定されず任意に調整することが可能となる。また、ルーペ本体２０を眼鏡フレーム２１でなくヘッドバンドに吊り下げて支持して構成してもよい。
【産業上の利用可能性】
【００４９】
本発明は、医療手術や精密作業の際に使用される双眼ルーペであって、使用者の変動する視力に応じた焦点距離に簡単に調整可能な双眼ルーペに関するものであり、産業上の利用可能性を有する。
【符号の説明】
【００５０】
１      眼鏡フレーム
２      ルーペ本体
１０    双眼ルーペ
１０Ａ  双眼ルーペ
１１    焦点調整レンズ
１２    焦点調整部
１２Ａ  焦点調整部
１４    保持リング
１６    マグネットリング
２１    眼鏡フレーム
【図１】
2017002968.tif 000003
【図２】
2017002968.tif 000004
【図３】
2017002968.tif 000005
【図４】
2017002968.tif 000006
【図５】
2017002968.tif 000007
【図６】
2017002968.tif 000008
【図７】
2017002968.tif 000009
【図８】
2017002968.tif 000010
【図９】
2017002968.tif 000011
【国際調査報告】
2017002968.tif 000012
2017002968.tif 000013
2017002968.tif 000014
2017002968.tif 000015